(57)【要約】【課題】  アームレストの側板の間の距離が広がることを抑制することができる椅子を提供する。【解決手段】  シャワー用折畳み椅子は、前脚４及び後脚と、該前脚４及び後脚に支持された座部と、該前脚４の取付部４Ｃに取り付けられたアームレスト３とを備える。該アームレスト３は、対向する一対の側板３２，３２で該取付部４Ｃを挟むようにして回動自在に取り付けられる。さらに、側板３２の段部とストッパーピン３８が互いに当接することにより、該アームレスト３は略水平所定で位置決め支持されるようになっている。加えて、該一対の側板３２，３２の間に架設材３９が取り付けられ、該架設材３９が各側板３２，３２にそれぞれ固定されている。【選択図】      図３
2008154764.tif 000002
【特許請求の範囲】
【請求項１】
脚部と、該脚部に支持された座部と、該脚部又は該座部の所定位置に設けられた取付部と、該取付部に取り付けられたアームレストとを備える椅子であって、
該アームレストの基部には対向する一対の側板が設けられており、該一対の側板で該取付部を挟むようにして該一対の側板が該取付部に回動自在に取り付けられることにより、該アームレストは該脚部又は該座部に対して回動自在とされており、さらに、該取付部及び該側板にはそれぞれストッパが設けられており、
該アームレストを回動させる際に該取付部及び該側板の各ストッパが互いに当接することにより、該アームレストは所定の回動角度で位置決め可能とされているとともに、
該一対の側板の間に架設材が取り付けられており、該架設材が各側板にそれぞれ固定されていることを特徴とする椅子。
【請求項２】
該脚部は、第一脚と、該第一脚に回動自在に取り付けられた第二脚とからなり、該第二脚には座部取付具が取り付けられており、該座部取付具には該座部の基端縁部が回動自在に取り付けられているとともに、該第一脚には座部支持具が取り付けられており、
使用状態では、該第一脚と該第二脚とが開かれ、かつ該座部が水平状態とされて該座部支持部材によって支持され、
折畳み状態では、該第一脚と該第二脚とが閉じられ、かつ該座部が跳ね上げ状態とされる請求項１に記載の椅子。
【請求項３】
該架設材を覆うカバー部材を設けた請求項１又は請求項２に記載の椅子。
【発明の詳細な説明】
【技術分野】
【０００１】
本発明は、浴室などで使用されるアームレストを有する椅子に関するものである。
【背景技術】
【０００２】
従来、上記のようなアームレストを有する椅子として、例えば特許文献１，特許文献２に示すものが挙げられる。この従来の椅子において、アームレスト（肘掛け）は、一対の基端部（内側板）の間に脚を挟むようにして、ピンを用いて該脚に回動自在に取り付けられている。また、該脚に取り付けられたストッパーピンにアームレスト（肘掛け）に設けられた段部を当接させることにより、該アームレスト（肘掛け）を水平状態に保持できるようになっている。
【０００３】
【特許文献１】特開２００４−２６１３２８号公報
【特許文献１】特開２００５−８７５８４号公報
【発明の開示】
【発明が解決しようとする課題】
【０００４】
ところが、上記従来の椅子にあっては、アームレスト（肘掛け）の一対の基端部（内側板）の間の距離が広がってしまうおそれがあり、このような場合にはストッパーピンに段部が当接しづらくなって、該アームレスト（肘掛け）を水平状態に保持できなくなる可能性があるという問題があった。
本発明は、このような従来技術に存在する問題点に着目してなされたものである。その目的とするところは、アームレストの側板の間の距離が広がることを抑制することができる椅子を提供することにある。
【課題を解決するための手段】
【０００５】
上記の目的を達成するために、請求項１に記載の椅子の発明は、脚部と、該脚部に支持された座部と、該脚部又は該座部の所定位置に設けられた取付部と、該取付部に取り付けられたアームレストとを備える椅子であって、該アームレストの基部には対向する一対の側板が設けられており、該一対の側板で該取付部を挟むようにして該一対の側板が該取付部に回動自在に取り付けられることにより、該アームレストは該脚部又は該座部に対して回動自在とされており、さらに、該取付部及び該側板にはそれぞれストッパが設けられており、該アームレストを回動させる際に該取付部及び該側板の各ストッパが互いに当接することにより、該アームレストは所定の回動角度で位置決め可能とされているとともに、該一対の側板の間に架設材が取り付けられており、該架設材が各側板にそれぞれ固定されていることを要旨とする。
上記構成によれば、アームレストは、一対の側板を取付部に回動自在に取り付けたことにより、使用していない状態で邪魔にならないように跳ね上げる等することができる。また、該取付部及び該側板にそれぞれストッパを設けたことにより、使用する状態で該アームレストを所定位置に保持することができる。そして、該アームレストにおいては、該一対の側板の間に架設材が取り付けられ、かつ該架設材が各側板にそれぞれ固定されているため、該架設材によって該一対の側板の間の距離が一定に維持される。その結果、アームレストの側板の間の距離が広がることを抑制することができる。
【０００６】
請求項２に記載の発明は、請求項１に記載の椅子の発明において、該脚部は、第一脚と、該第一脚に回動自在に取り付けられた第二脚とからなり、該第二脚には座部取付具が取り付けられており、該座部取付具には該座部の基端縁部が回動自在に取り付けられているとともに、該第一脚には座部支持具が取り付けられており、使用状態では、該第一脚と該第二脚とが開かれ、かつ該座部が水平状態とされて該座部支持部材によって支持され、折畳み状態では、該第一脚と該第二脚とが閉じられ、かつ該座部が跳ね上げ状態とされることを要旨とする。
上記構成によれば、椅子全体をコンパクトな折畳み状態とすることができ、利便性の向上を図ることができる。
【０００７】
請求項３に記載の発明は、請求項１又は請求項２に記載の椅子の発明において、該架設材を覆うカバー部材を設けたことを要旨とする。
上記構成によれば、該架設材の近傍等に指等が入り込んでしまうことを防止することができ、指詰め等に対する安全対策を図ることができ、加えて、該架設材を外部から見えづらくすることで、見栄えを向上させることができる。
【発明の効果】
【０００８】
本発明によれば、アームレストの側板の間の距離が広がることを抑制することにより、アームレストを所定の回動角度で好適に位置決めすることができる。
【発明を実施するための最良の形態】
【０００９】
以下、本発明の椅子を浴室で使用するシャワー用折り畳み椅子に具体化した一実施形態について説明する。
図１及び図２に示すように、シャワー用折畳み椅子１にあっては、第一脚である左右の前脚４，４の上部に三角ブラケット４１，４１を介して第二脚である後脚５，５の上端が枢着されており、かくして前脚４，４と後脚５，５とは開閉により折畳み可能に構成されている。
該左右の前脚４，４は、上端において上辺部４Ａを介して一体的に連結されており、左右の前脚４，４と上辺部４Ａとでコの字形を形成している。該上辺部４Ａの前側には、背もたれ２が取付けられている。また、前脚４，４の中間部には、補強棒４Ｂが差渡されており、該左右の後脚５，５の中間部にも、補強棒５Ｂが差渡されている。
【００１０】
該後脚５，５の上部からは、前方に向かって座部取付具である三角形状の取付ブラケット５１，５１が差出されている。該取付ブラケット５１，５１の頂部間には、座部取付具であるである枢軸６１が差渡されている。一方、該左右の前脚４，４の中間部と該左右の後脚５，５の中間部との間には、座部６が配置されており、この座部６の下面で基端部（図１中で奥側の端部）には軸受け（図示略）が設けられている。該枢軸６１は、該軸受けに嵌着され、かくして該座部６は該枢軸６１を中心として上方に跳ね上げ回動可能に後脚５，５間に取り付けられている。
【００１１】
該前脚４，４の中間部からは、前方に向かって座部支持具である三角形状の棒受ブラケット４２，４２が差出されている。該棒受ブラケット４２，４２の頂部間には、座部支持具である支持棒６２が差渡されている。そして、該座部６の下面で略中央部には、該座部６を水平に使用する状態（以下、「水平使用状態」と云う）で該支持棒６２を把持するよう該支持棒６２に係合されるばねクリップ（図示略）が取り付けられている。
該座部６の下面と該前脚４との間には、水平使用状態における該前脚４，４と該後脚５，５との開度を規制するため、左右一対のリンク６４，６４が差渡されている。すなわち、該リンク６４，６４の一端は、前脚４，４の棒受ブラケット４２，４２に支持棒６２と共軸的に枢着されており、また該リンク６４，６４の他端は、該座部６の下面で基端部に設けられた軸受けに枢着されている。
【００１２】
該前脚４，４及び該後脚５，５の下端部には、摺動脚部７，７がそれぞれ外挿されている。該摺動脚部７，７には、複数個のピン孔７１，７１が上下に列設されており、また該ピン孔７１内には、スプリング（図示せず）によって内側から付勢された位置決めピン７２が挿入されている。かくして該位置決めピン７２を指で押し込み、該摺動脚部７を上下摺動させて所定長さに調整した状態で、該ピン孔７１内に該位置決めピン７２を係合して固定することにより、該前脚４及び該後脚５は、長さ調節可能とされている。したがって、該前脚４，４と該後脚５，５は、それぞれ長さ調節可能に構成されているため、使用者の体型に合わせ、該座部６の上面である座面の高さを調節することが可能となっている。
各摺動脚部７の下端部には、ゴム脚８がそれぞれ挿着されている。該ゴム脚８は、水平使用状態でその底面が水平になるように設定されており、該シャワー用折畳み椅子１が滑るのを防止している。また、該ゴム脚８の中央部には、水抜き孔（図示略）が設けられており、該ゴム脚８内に水が溜まるのを防止している。
【００１３】
該左右の前脚４，４の上部を取付部４Ｃとして、該取付部４Ｃにはアームレスト３，３の基端部が枢軸３３を介してそれぞれ上方へ跳ね上げ可能に取り付けられている。
図３に示すように、該アームレスト３は、本体３１と、該本体３１の内側に取り付けられた左右一対の側板３２，３２とを備えている。該本体３１の基端側には、前脚４を通す切欠き３４が形成されている。更に該本体３１の先端部上面には、肘掛けパッド３９が取り付けられている。
【００１４】
該一対の側板３２，３２には、先端部において左右に差渡される天板３２Ａが一体的に形成されている。該一対の側板３２，３２は、該天板３２Ａを介してビス等により、該本体３１の内側に取り付けられ、固定されている。また該本体３１の内側に取り付けられた該一対の側板３２，３２は、前脚４の取付部４Ｃを挟むようにして配置されている。
該前脚４の取付部４Ｃにおいて、上部には軸受け３６が貫設されており、下部にはストッパであるストッパーピン３８が該前脚４の表面から突出するように取り付けられている。該アームレスト３は、該本体３１の基端部に設けられた軸孔３１Ｂ及び該側板３２の基端部に設けられた軸孔３２Ｂに挿通された前記枢軸３３（図３中では省略する）が、該軸受け３６に支持されることにより、該前脚４，４に対して上下方向に回動自在とされている。また該側板３２の基端部において、下縁にはストッパである段部３７が形成されている。該アームレスト３を回動させて水平使用状態とした場合、該側板３２の段部３７が該前脚４のストッパーピン３８に透設し、係止されることにより、該アームレスト３は、所定の回動角度（該本体３１が略水平となる角度）で位置決めされるようになっている（図４（ｂ）を参照）。
【００１５】
さらに、該一対の側板３２，３２において、基端部の間には、架設材３９が取り付けられている。該架設材３９は、その両端が一対の側板３２，３２にそれぞれ固定されている（図４（ａ）を参照）。即ち、該架設材３９は、各側板３２，３２にそれぞれ固定さることにより、該アームレスト３の回動等に伴って一対の側板３２，３２の間の長さが変化することを規制している。
上記のように該架設材３９によって一対の側板３２，３２間の長さが変化することを規制したことにより、該シャワー用折畳み椅子１は、ストッパであるストッパーピン３８と段部３７が確実に当接できるように構成されている。なお、該架設材３９を設けない場合、一対の側板３２，３２の間の長さが変わってしまい、ストッパーピン３８と段部３７とが当接不能となってしまうおそれがある。
【００１６】
該前脚４の取付部４Ｃには、カバー部材４０が取り付けられている。該カバー部材４０は、該枢軸３３及びストッパーピン３８の該前脚４への挿通によって取付部４Ｃに固定されている。該カバー部材４０を設けることにより、該アームレスト３を水平使用状態とした場合、該切欠き３４の大半が塞がれ、該切欠き３４内に指等が入り込んでしまうことを防止している。また、該カバー部材４０の両側壁には、該架設材３９が挿通される円弧状のガイド孔４０Ａがそれぞれ形成されている。該ガイド孔４０Ａ内を該架設材３９が移動することにより、該アームレスト３は、ぐらつくことなく円滑に回動させることができるようになっている。さらに、該カバー部材４０は、該架設材３９が外部に露出しないように、該架設材３９を覆っている。その結果、該アームレスト３の跳ね上げ、跳ね下ろし時において、該カバー部材４０は、該架設材３９の近傍等に指等が入り込んでしまうことを防止することにより、指詰め等に対する安全対策に効果を発揮しており、加えて、該架設材３９を外部から視認しづらくすることで見栄え向上にも効果を発揮している。
【００１７】
該シャワー用折畳み椅子１を使用するには、該前脚４，４と該後脚５，５とを開き、該前脚４，４の棒受ブラケット４２，４２の間に差渡されている支持棒６２に該座部６の下面のばねクリップを押し付けると、該ばねグリップが該支持棒６２に係合固定され、該座部６が水平使用状態に支持されるようになる。なお前脚４と床面Ｆとの前後方向の開き角度αは５６．５°、後脚５と床面Ｆとの前後方向の開き角度βは７０°程度とするのが望ましい。
【００１８】
該シャワー用折畳み椅子１を使用状態とした場合において、該前脚４，４の棒受ブラケット４２，４２の間に差渡されている支持棒６２に該座部６のばねクリップが固定されて該座部６が水平支持されるため、着座時に該座部６が不安定となるのを防ぐことが出来、該シャワー用折畳み椅子１が不意に後方へ回動して使用者が転倒するのを防ぐことが出来る。
更に該シャワー用折畳み椅子１を使用状態とした場合において、該前脚４，４と該後脚５，５との開度は該座部６と該前脚４，４との間のリンク６４，６４によって規制されるため、該前脚４，４と該後脚５，５が過度に開くのを防止することが出来る。
また更に該背もたれ２は、使用者が腰掛けた時、使用者の背中の少なくとも上半部が露出するように低く設定されているため、使用者または介助者は該背もたれ２に干渉されることなく使用者の背中を容易に洗うことが可能となる。
また該アームレスト３，３を設けたことにより、使用者は該アームレスト３，３に肘を支持させて安楽にすることが出来、また立ち座りの際には該アームレスト３，３を掴んで体を安定させることが出来る。
加えて、該シャワー用折畳み椅子１を使用状態とした場合にあって、該座部６の位置は、従来のものよりも前方にずれており、前脚４，４からの突出長Ｌは２０ｃｍ以上とされている。このため、使用者は、前脚４，４に干渉されることなく、斜め前方あるいは横方向から該シャワー用折畳み椅子１に容易に移乗出来る。なお、該座部６を前方にずらして突出長Ｌを長くした場合、該座部６に及ぼされる使用者の体重等の負荷によるモーメントが大きくなるため、該座部６の裏面にＵ字形の補強パイプなどを装着し、該座部６が負荷によって撓んだり破損したりすることを抑制することが望ましい。
【００１９】
一方、該シャワー用折畳み椅子１を折畳み状態にするには、アームレスト３，３を跳ね上げた後、該前脚４，４の棒受ブラケット４２，４２の間に差渡されている支持棒６２から該座部６のばねクリップを取り外し、該前脚４，４と該後脚５，５とを閉じ、かつ該座部６を跳ね上げる。
該アームレスト３，３は、該シャワー用折畳み椅子１を折畳み状態あるいは使用状態とするのみならず、例えば使用者が移乗する際などにも跳ね上げあるいは跳ね下ろしされる。このように該アームレスト３，３の跳ね上げあるいは跳ね下ろしを繰り返した場合、従来は一対の側板３２，３２間が開き、段部３７がストッパーピン３８に当接されず、該アームレスト３，３を水平位置に支持できなくなるおそれがあった。しかし、該シャワー用折畳み椅子１によれば、該架設材３９によって一対の側板３２，３２間が一定の長さに維持されているため、該アームレスト３，３を確実に水平位置で支持することができる。
【００２０】
なお、上記実施形態では、本発明の椅子をシャワー用折畳み椅子１に具体化したが、該シャワー用折畳み椅子１に限らず、跳ね上げあるいは跳ね下ろし可能なアームレストを有している椅子であれば、例えば折畳み機能を有しないシャワー用椅子など、何れの椅子に具体化してもよい。またアームレスト３，３は、実施形態では該前脚４，４に取り付けたが、例えば座部６に取り付けてもよい。また該カバー部材４０を省略し、ゴム、エラストマー等からなるシート材で該切欠き３４を塞いでもよい。
【産業上の利用可能性】
【００２１】
本発明のシャワー用折畳み椅子は、アームレストが回動するため、狭い浴室やシャワー室内でも、使用者が該椅子に斜め前方からあるいは横方向から容易に移乗することが出来るとともに、アームレストが確実に水平位置に支持されるため、該アームレストに肘を支持させやすく、また立ち座りの際に該アームレスを掴んで体を安定させやすいため、老人や身障者にとって極めて使い勝手が良い。
【図面の簡単な説明】
【００２２】
【図１】実施形態のシャワー用折畳み椅子の斜視図。
【図２】実施形態のシャワー用折畳み椅子の側面図。
【図３】アームレストの分解斜視図。
【図４】（ａ）はアームレストの底面図、（ｂ）はアームレストの断面図。
【符号の説明】
【００２３】
1   シャワー用折畳み椅子
3   アームレスト
4   前脚
4C  取付部
5   後脚
6   座部
32  側板
37  段部
38  ストッパーピン
39  架設材
【図１】
2008154764.tif 000003
【図２】
2008154764.tif 000004
【図３】
2008154764.tif 000005
【図４】
2008154764.tif 000006